(57)【特許請求の範囲】
【請求項１】
蓄電デバイスから発生するガスを捕集して分析する蓄電デバイスの発生ガス分析方法であって、
筐体を有する前記蓄電デバイスを前記筐体ごと容器内部に収容し、前記容器内部が不活性ガスで満たされる試験容器と、前記試験容器よりも低い内圧に保持される複数のサンプル容器と、前記試験容器と複数の前記サンプル容器とを連通させる複数の連通流路と、複数の前記連通流路の前記試験容器と前記サンプル容器との間にそれぞれ設けられた流路開閉弁と、を備えるガス捕集器を用い、前記流路開閉弁を閉じて前記蓄電デバイスの安全性評価試験を開始した後、複数の前記連通流路に設けられた前記流路開閉弁を、前記連通流路毎に順次異なるタイミングで開閉動作させ、開閉動作させた前記流路開閉弁に連通する前記サンプル容器に、当該流路開閉弁が開閉動作したタイミングで前記試験容器の内部ガスを吸引して捕集する工程と、
複数の前記サンプル容器にそれぞれ異なるタイミングで捕集された前記内部ガスを、前記サンプル容器毎に分析する工程と、
を有する蓄電デバイスの発生ガス分析方法。
【請求項２】
前記内部ガスを分析する工程は、ＧＣ−ＭＳ法、ＧＣ法、ＩＣ法、ＩＣＰ−ＡＥＳ法、ＩＣＰ−ＭＳ法、吸光光度法、ＩＲ法の少なくとも一つに基づいて分析する工程である請求項１に記載の蓄電デバイスの発生ガス分析方法。
【請求項３】
前記安全性評価試験は、釘刺し試験、過充電試験、加熱試験、外部短絡試験、過放電試験、圧壊試験、充放電試験、保存試験の少なくとも一つの試験である請求項１又は２に記載の蓄電デバイスの発生ガス分析方法。
【請求項４】
前記内部ガスを分析する工程は、発生ガス量、ガス成分の少なくとも一方を求める工程である請求項１乃至請求項３のいずれか一項に記載の蓄電デバイスの発生ガス分析方法。
【発明の詳細な説明】
【技術分野】
【０００１】
本発明は、蓄電デバイスから発生するガスを捕集して分析する蓄電デバイスの発生ガス分析方法及び装置に関する。
【背景技術】
【０００２】
近年、蓄電デバイスとしてリチウムイオン電池等が盛んに活用されている。リチウムイオン電池は、エネルギー密度が高く、性能バランスが良いため汎用性が高い特長を有する。しかし、急激な熱発生により内部の電解液が分解、蒸発し、有害ガスが発生する等、安全性に関しては、課題が残されている。そこで、リチウムイオン電池の安全性評価試験中に発生するガスを分析して、その安全性を評価する分析装置が提案されている（例えば特許文献１）。この分析装置では、図６に示すように、密封耐圧ブースとなる試験容器１９内に蓄電デバイス１１をセットして、蓄電デバイス１１を短絡させる安全性評価試験を行う。この試験中に発生したガス全量を配管６５を通じてバッファータンク６７に連通したガスバッグ７１に捕集し、ガスバッグ７１に溜まったガスを分析する。この試験装置によれば、安全性評価試験中に蓄電デバイス１１から発生したガス全量が捕集され、この捕集されたガスが試験後に纏めて分析に供される。
【先行技術文献】
【特許文献】
【０００３】
【特許文献１】特開２０１１−３５１３号公報
【発明の概要】
【発明が解決しようとする課題】
【０００４】
しかしながら、上記の方法によれば、試験開始から終了までの間に発生したガスのトータルの発生ガス量、ガス成分の分析は可能であるが、試験途中のガス量の変化や各ガス成分の変化等の経時変化を把握できないという問題があった。
【０００５】
そこで、本発明は、蓄電デバイスの安全性評価試験を行いながら、蓄電デバイスから試験中に発生するガスの経時変化の分析が可能な蓄電デバイスの発生ガス分析方法を提供することを目的とする。
【課題を解決するための手段】
【０００６】
本発明は、下記の蓄電デバイスの発生ガス分析方法を提供する。
蓄電デバイスから発生するガスを捕集して分析する蓄電デバイスの発生ガス分析方法であって、
筐体を有する前記蓄電デバイスを前記筐体ごと容器内部に収容し、前記容器内部が不活性ガスで満たされる試験容器と、前記試験容器よりも低い内圧に保持される複数のサンプル容器と、前記試験容器と複数の前記サンプル容器とを連通させる複数の連通流路と、複数の前記連通流路の前記試験容器と前記サンプル容器との間にそれぞれ設けられた流路開閉弁と、を備えるガス捕集器を用い、前記流路開閉弁を閉じて前記蓄電デバイスの安全性評価試験を開始した後、複数の前記連通流路に設けられた前記流路開閉弁を、前記連通流路毎に順次異なるタイミングで開閉動作させ、開閉動作させた前記流路開閉弁に連通する前記サンプル容器に、当該流路開閉弁が開閉動作したタイミングで前記試験容器の内部ガスを吸引して捕集する工程と、
複数の前記サンプル容器にそれぞれ異なるタイミングで捕集された前記内部ガスを、前記サンプル容器毎に分析する工程と、
を有する蓄電デバイスの発生ガス分析方法。
【発明の効果】
【０００７】
本発明によれば、蓄電デバイスの安全性評価試験時における発生ガスの経時変化の分析が可能となる。
【図面の簡単な説明】
【０００８】
【図１】蓄電デバイスの発生ガス分析装置の第１構成例である模式的な構成図である。
【図２】第２構成例の分析装置の模式的な構成図である。
【図３】第１構成例の分析装置のデータロガーが記録した電池表面温度と雰囲気温度と電圧との時間変化の様子を示すグラフである。
【図４】第２構成例の分析装置のデータロガーが記録した電圧、電流、電池温度、雰囲気温度との充電深度に対する変化の様子を示すグラフである。
【図５】試験中に発生したガスの一部を分析器により連続的に分析した結果を示すグラフである。
【図６】従来の分析装置を示す模式的な構成図である。
【図７】従来の分析装置による電圧、釘貫入深さ、電池表面温度、雰囲気温度の時間変化の様子を示すグラフである。
【発明を実施するための形態】
【０００９】
以下、本発明の実施形態について、図面を参照して詳細に説明する。
＜第１構成例＞
図１は蓄電デバイスの発生ガス分析装置１００の模式的な構成図である。この蓄電デバイスの発生ガス分析装置（以下、分析装置と略称する）１００は、蓄電デバイス１１の安全性評価試験中に蓄電デバイス１１から発生するガスを捕集し、この捕集されたガスを分析する。ここで用いる蓄電デバイス１１は、リチウムイオン電池を例示するが、他の種類の電池であってもよい。
【００１０】
分析装置１００は、蓄電デバイス１１から発生するガスを捕集するためのガス捕集器１３と、ガス捕集器１３が捕集したガスを分析する分析器１５と、後述するデータロガー４５と、を備える。
【００１１】
ガス捕集器１３は、試験容器１９と、試験容器１９に接続される単数または複数のガス捕集ライン２１と、を有する。試験容器１９は、蓄電デバイス１１を容器内部１７に収容し、容器内部１７が不活性ガスで満たされる。この状態で蓄電デバイス１１の安全性評価試験が実施される。また、図示例のガス捕集ライン２１は、合計４ラインを有する構成であるが、これに限らず、任意数のガス捕集ラインが配置可能である。
【００１２】
ガス捕集ライン２１は、試験容器１９又は蓄電デバイス１１の筐体から延設される連通流路２３を有する。この連通流路２３には、試験容器１９側から順に、上流側流路開閉弁２７、サンプル容器２９、下流側流路開閉弁３１が配置される。
【００１３】
上流側流路開閉弁２７は、例えば駆動信号により開閉駆動される電磁弁であり、サンプル容器２９へのガスの流入を制限する。サンプル容器２９は、ガス捕集用の容器であり、図示しない真空ポンプ等に接続されて、試験容器１９よりも低い内圧に保持される。下流側流路開閉弁３１は、サンプル容器２９へのガス捕集時には閉弁され、サンプル容器２９に捕集された捕集ガスの分析器１５への送出時に開弁される。
【００１４】
連通流路２３の試験容器１９側の先端は、図示例のように蓄電デバイス１１の筐体内部に配する他、蓄電デバイス１１の外側近傍における試験容器１９の内部で開口していてもよい。
【００１５】
試験容器１９には、安全性評価試験の一つである釘刺し試験を行うための釘差し部３３が設けられる。釘差し部３３は、蓄電デバイス１１を突き刺す釘部３３ａを先端に有し、この釘部３３ａが上下動可能に支持される。この釘部３３ａの上下動は、手動であってもよく、モータ等による駆動機構による動作であってもよい。
【００１６】
また、試験容器１９に収容される蓄電デバイス１１の表面には、蓄電デバイス１１の温度を検出する温度センサ３５が配置される。試験容器１９の内部には、蓄電デバイス１１の周囲温度を検出する温度センサ３７が配置される。これら温度センサ３５，３７としては、熱電対、サーミスタ等が利用可能である。
【００１７】
蓄電デバイス１１の電極端子４１Ａ，４１Ｂには、蓄電デバイス１１の電流、電圧を検出する電流電圧検出部４３が接続される。これら温度センサ３５，３７、電流電圧検出部４３は、データロガー４５に接続される。データロガー４５は、接続された温度センサ３５，３７、電流電圧検出部４３の各出力信号の経時変化を記録する。上記各部は、不図示のガス捕集駆動部により統括制御される。
【００１８】
次に、上記構成の分析装置１００を用いた発生ガス分析方法について説明する。
まず、被試験対象となる蓄電デバイス１１を試験容器１９にセットする。この蓄電デバイス１１の表面に温度センサ３５を取り付け、電流電圧検出部４３のプローブを蓄電デバイス１１の電極端子４１Ａ，４１Ｂに取り付ける。そして、蓄電デバイス１１が収容された試験容器１９の容器内部を、図示しない不活性ガス供給部からヘリウムガスや窒素ガス等の不活性ガスで充満させる。
【００１９】
一方、ガス捕集ライン２１については、上流側流路開閉弁２７、下流側流路開閉弁３１を共に閉じ、サンプル容器２９の内圧を、不図示の真空ポンプにより減圧しておく。このとき、サンプル容器２９の内圧を試験容器１９の内圧よりも低くする。
【００２０】
以上の準備工程を完了した後、釘刺し部３３を駆動して、釘部３３ａで蓄電デバイス１１を突き刺し、安全性評価試験を開始する。
【００２１】
この安全性評価試験開始後に、蓄電デバイス１１の筐体内からガスが発生する。この発生したガスを、複数のガス捕集ライン２１によって、異なるタイミングで順次に捕集する。このガス捕集方法を以下に具体的に説明する。
【００２２】
上流側流路開閉弁２７、及び下流側流路開閉弁３１は、共に閉じた状態で安全性評価試験が開始される。試験開始後、複数の連通流路２３に設けられた上流側流路開閉弁２７を、順次に異なるタイミングで開く。すると、サンプル容器２９の内圧よって試験容器１９又は蓄電デバイス１１の筐体内の内部ガスが、連通流路２３を通じて吸引される。この吸引されたガスは、サンプル容器２９の容器内にそれぞれ取り込まれる。そして、ガス捕集ライン２１毎に、サンプル容器２９の内圧が大気圧になった時点、又は所定時間後に上流側流路開閉弁２７を閉じる。
【００２３】
これにより、各ガス捕集ライン２１のサンプル容器２９には、ガス捕集ライン２１毎に上流側流路開閉弁２７を開閉動作させたタイミングで試験容器１９側から吸引したガスが捕集される。つまり、各サンプル容器２９には、経時的に異なるタイミングで、試験容器１９又は蓄電デバイス１１の筐体内から吸引されたガスが捕集される。
【００２４】
次に、各サンプル容器２９に捕集されたガスを、サンプル容器２９毎に順次、分析器１５により分析する。例えば、複数のガス捕集ライン２１の各サンプル容器２９を、時間軸上において、上流側流路開閉弁２７を開閉動作させたタイミングの早い順序で、サンプル容器２９を分析器１５にセットし、捕集ガスの分析を行う。
【００２５】
分析器１５による捕集ガスの分析工程は、ＧＣ−ＭＳ法、ＧＣ法、ＩＣ法、ＩＣＰ−ＡＥＳ法、ＩＣＰ−ＭＳ法、吸光光度法、ＩＲ法の少なくとも一つの方式に基づく分析を実施する工程である。
【００２６】
ＧＣ−ＭＳ(Gas Chromatograph Mass Spectrometry)法は、ガスクロマトグラフ-質量分析計による分析手法である。この手法によれば、横軸に検出時間、縦軸に検出強度で表したクロマトグラムが測定され、これに基づいて分離した成分毎に測定されたマススペクトルからガス種の同定を行う。また、ＧＣ(Gas Chromatograph)法は、上記のクロマトグラムを用いる分析である。
【００２７】
ＩＣ（Immunochromatography）法は、溶液試料をイオン交換樹脂に通し、含まれているイオン種を分離し、電気伝導度を測定する。あらかじめ標準溶液で作成した電気伝導度とイオン含有率の関係線より試料中のイオン種の含有率を定量する測定法である。
【００２８】
ＩＣＰ−ＡＥＳ（Inductively Coupled Plasma Atomic Emission Spectroscopy）法は、高周波誘導結合プラズマ(ICP)を光源とする発光分光分析法である。試料溶液を霧状にしてＡｒプラズマに導入し、励起された元素が基底状態に戻る際に放出される光を分光して、波長から元素の定性、強度から定量を行う。
【００２９】
上記した各分析方法の中から、蓄電デバイス１１の種別、評価項目や評価目的に応じて、最適な方式が選定される。
【００３０】
また、蓄電デバイス１１の安全性評価試験は、上記した釘刺し試験に限らず、例えば、過充電試験、加熱試験、外部短絡試験、過放電試験、圧壊試験、充放電試験、保存試験、等のいずれであってもよい。
【００３１】
具体的に各試験を説明すると、過充電試験は、充電電圧以上の電圧に対する耐久性を評価する試験であり、例えば、UN 38.3.4.7、IEC62660-2 6.3.2、UL2580 8、UL2271 7.2、SAE 2464 4.5.2、QC/T743-2006 6.2.12.2, 6.3.8.2、KMVSS 48.6.2、SBA S1101:2011 8.2.5  等に示される規格の試験が挙げられる。
【００３２】
加熱試験は、蓄電デバイスの単セルに対して、ヒータによる加熱試験を行い、セル表面の温度及び噴出したガスの温度を測定する。例えば、電池を一定速度で昇温させ、所定の温度に達した後、その温度で長時間十分保持し、発煙、発火及び破裂が起きないことを確認する。試験温度については、例えばUL規格〔UnderwritersLaboratories Inc., UL1642（リチウム電池）〕では１５０℃、リチウム二次電池安全性評価基準ガイドライン（電池工業会）では１３０℃となっている。
【００３３】
外部短絡試験は、電池の電極間を小抵抗で短絡させる試験であり、例えば次に示す規格の試験が挙げられる。UN 38.3.4.5、IEC62660-2 6.3.1、UL2580 9、UL2271 7、SAE 2464 4.5.1、QC/T743-2006 6.2.12.3, 6.3.8.3、KMVSS 48.6.5、SBA S1101:2011 8.2.1
【００３４】
圧壊試験は、例えば、IEC62133に規定される安全基準においては、平板で１３ｋＮまでの加重を与えても発火等しないものとされている。
【００３５】
保存試験は、ISO 12405-1、IEC 62660-1、JIS C 8711、QC/T 743等に規定されている。
【００３６】
また、充放電試験は、充電と放電とを繰り返し実施し、電池の劣化を評価する試験であり、過放電試験は、放電状態で放置した場合の電池の劣化を評価する試験である。
【００３７】
本構成の分析装置１００によれば、蓄電デバイス１１の安全性評価試験を行いながら、試験中に蓄電デバイス１１から発生するガスを、複数のサンプル容器２９に順次、経時的に異なるタイミングで捕集できる。捕集されたガスは、各サンプル容器２９にそれぞれ収容されるため、これら複数のサンプル容器２９のガスをそれぞれを調べることで、捕集されたガスをその捕集タイミング毎に分析できる。よって、安全性評価試験途中の経時的なガス発生量、発生ガス成分等が把握でき、時間経過に伴う発生ガスの定量分析が可能となる。
【００３８】
＜第２構成例＞
次に、蓄電デバイスの発生ガス分析装置の第２構成例を説明する。
図２は第２構成例の分析装置２００の模式的な構成図である。以降の説明では、前述の第１構成例の分析装置１００と同一の部品や部材に対しては、同一の符号を付与することで、その説明を省略又は簡単化する。
【００３９】
本構成の分析装置２００は、蓄電デバイス１１が収容される試験容器１９と、分析器１５と、蓄電デバイス１１の筐体内と分析器１５とを連通させ、ガス排出流路となる連通流路５１と、不活性ガス供給部５３と、ガスバッグ５５と、データロガー４５と、を備える。
【００４０】
不活性ガス供給部５３は、蓄電デバイス１１の筐体内に不活性ガスを供給し、ガス排出駆動部として機能する。ガスバッグ５５は、不活性ガスの供給により蓄電デバイス１１から排出されるガスを捕集する。
【００４１】
排出ガスが流れる連通流路５１からガスバッグ５５に向けて分岐する分岐流路５７が設けられる。
【００４２】
データロガー４５には、蓄電デバイス１１の表面に設けた温度センサ３５、及び試験容器１９内に配置されて周囲温度を検出する温度センサ３７、電極端子４１Ａ，４１Ｂに接続される電流電圧検出部４３からの各種の出力信号が入力される。
【００４３】
次に、上記構成の分析装置２００を用いた発生ガス分析方法について説明する。
まず、被試験対象となる蓄電デバイス１１を試験容器１９にセットし、温度センサ３５を蓄電デバイス１１の表面に配置して、電流電圧検出部４３のプローブを電極端子４１Ａ，４１Ｂに接続する。
【００４４】
以上の準備工程を完了した後、蓄電デバイス１１の安全性評価試験を開始する。蓄電デバイス１１の安全性評価試験は、前述同様に、釘刺し試験、過充電試験、加熱試験、外部短絡試験、過放電試験、圧壊試験、充放電試験、保存試験のいずれであってもよい。
【００４５】
この安全性評価試験開始後に、蓄電デバイス１１からガスが発生する。発生したガスは、特定のタイミングで不活性ガス供給部５３により蓄電デバイス１１の筐体内にＨｅガスが送気されることで、連通流路５１に押し出される。押し出されたガスは、ガスバッグ５５に捕集されると共に、その一部が分析器１５に送られて分析される。
【００４６】
この場合の分析器１５による分析工程は、ＧＣ−ＭＳ法又はＩＲ法に基づく分析が実施される。
【００４７】
不活性ガス供給部５３からの送気は、安全性評価試験開始後に、断続的、又は連続的に行うことで、分析器１５へ経時的に異なるタイミングで順次発生ガスを送ることができる。これにより、分析器１５は、経時的に異なるタイミングで蓄電デバイス１１から送気されたガスを、異なるタイミング毎に分析できる。よって、安全性評価試験途中の経時的なガス発生量、発生ガス成分等が把握でき、時間経過に伴う発生ガスの定量分析が可能となる。
【００４８】
不活性ガス供給部５３の送気タイミングは任意に変更でき、所望の時間間隔で分析が行える。また、不活性ガス供給部５３から連続的に送気する場合、分析器１５の分析工程の繰り返しサイクル時間毎で経時的な分析が可能となる。
【実施例】
【００４９】
次に、上記した第１構成例の分析装置１００と、第２構成例の分析装置２００による分析結果と、比較例として安全性評価試験中に捕集し続けたガスを纏めて分析した分析結果とを説明する。
【００５０】
＜第１構成例の分析装置１００による分析結果＞
図１に示す分析装置１００を用い、蓄電デバイス１１である３Ａｈのリチウムイオン電池に関する安全性評価試験として、釘刺し試験を行った。試験中、リチウムイオン電池の表面温度と試験容器１９の雰囲気温度を温度センサ３５，３７で検出し、データロガー４５に記録した。また、電流電圧検出部４３により、電池電圧もデータロガー４５に記録した。そして、リチウムイオン電池から発生したガスを、試験中４つの時間帯（釘刺し前、釘刺し３秒後、釘刺し６秒後、釘刺し６分後における、各時間帯の上流側流路開閉弁２７の開放時間３秒間）で、複数のサンプル容器２９を用いて経時的に断続して捕集して、捕集したガスのガス発生量と発生ガス成分を分析した。
【００５１】
データロガーで記録した電池表面温度と雰囲気温度と電圧の時間変化の様子を図３のグラフに示す。試験を開始して１．２２分程経過した付近で、リチウムイオン電池に釘刺し部３３の釘部３３ａが刺さり始め、短絡が生じて電圧が大きく降下し始めた。これと同時にリチウムイオン電池の表面温度が上昇し始めた。一度大きく降下した電圧は１．４分程経過した時点で４Ｖ付近まで復帰して、その後は４Ｖ付近で維持し続けた。リチウムイオン電池の表面温度は最高温度で５５℃付近まで上昇した。
【００５２】
リチウムイオン電池から発生したガスを、試験中４つの時間帯（釘刺し前、釘刺し３秒後、釘刺し６秒後、釘刺し６分後、各時間帯の弁開放時間３秒間）で経時的に断続して捕集して、分析した結果を表１に示す。発生したガスの主成分は、水素、二酸化炭素、一酸化炭素、メタン、エタン、エチレンであることが判明した。各ガスの濃度は、釘刺し３秒後で高く、釘刺し６秒後では濃度が半減以下となり、釘刺し６分後の濃度と大差がなかった。この結果から、釘刺し直後の３秒間の内にガスが多く発生したことが判明した。
【００５３】
【表１】
0006730056.tif 000002
【００５４】
＜第２構成例の分析装置２００による分析結果＞
図２に示す分析装置２００を用い、安全性評価試験中に発生したガスをガスバッグに捕集すると共に、ガスの一部を分析器に直接送気して分析した。蓄電デバイス１１として５Ａｈの角形リチウムイオン電池を用い、過充電試験を実施した。試験中、リチウムイオン電池の表面温度と試験容器１９の雰囲気温度を温度センサ３５，３７により検出し、データロガー４５に記録した。また、電流電圧検出部４３により、電池電圧、通電電流を検出してデータロガー４５に記録した。試験中にリチウムイオン電池から発生したガスは、不活性ガス供給部５３からＨｅガスをリチウムイオン電池の筐体内に送気して、筐体内から発生ガスを押し出すことによってガスバッグに捕集した。また、押し出された発生ガスの一部を分析器１５である質量分析装置に送気し、試験中、連続的に分析した。
【００５５】
データロガー４５で記録した電圧、電流、電池温度、雰囲気温度との充電深度に対する変化の様子を図４のグラフに示す。なお、グラフ縦軸の電圧及び電流の目盛りは、共通の値で示してある。図４に示すように、放電状態（充電深度：ＳＯＣが０％）から充電を開始した。ＳＯＣ１５０％付近からリチウムイオン電池の温度上昇が観測され始め、ＳＯＣ３５０％付近で急激な温度上昇とともにリチウムイオン電池から発煙が観察された。
【００５６】
安全性評価試験の開始から終了まで間、ガスバッグ５５に捕集した発生ガスの分析結果を表２に示す。雰囲気ガスのＨｅを除くと、試験中に発生したガスの主要成分は、ＣＯ２とＨ２、ＣＯ、エタン、ジエチルカーボネート（ＤＥＣ）であることが判明した。また、発生ガスの量は、それぞれ０．６９Ｌ、０．６６Ｌ、０．１５Ｌ、０．１２Ｌ、０．１１Ｌであった。
【００５７】
試験中に発生したガスの一部を分析器により連続的に分析した結果を図５に示す。ＳＯＣ１５０％付近でＣＯ２が急激に発生するのが判明し、また、この付近からＣＯ、メタン、エタンも発生量が増えることが判明した。ガスバッグ５５に捕集した発生ガスの定量分析結果を用いることにより、測定間隔（２２０ｍｓｅｃ）当たりの発生量を算出することができ、ＣＯ２はＳＯＣ１３０％までは発生量が略０であったのが、ＳＯＣ１７０％以降では測定間隔当たり２０〜２５μＬ量の発生があることが判明した。
【００５８】
【表２】
0006730056.tif 000003
【００５９】
＜比較例の分析装置の構成＞
図６は、比較例としての分析装置の模式的な構成を示す参考図である。
比較例の分析装置３００は、釘部３３ａを有する釘刺し部３３が昇降フレーム６１に取り付けられたフレーム６３と、蓄電デバイス１１が容器内部に収容された試験容器１９と、試験容器１９に配管６５を通じて連通されたバッファータンク６７と、バッファータンク６７に配管６９を通じて連通されたガスバッグ７１とを備える。試験容器１９には、配管７３を通じて不活性ガスが供給可能となっている。
【００６０】
この分析装置３００は、釘刺し試験である安全性評価試験中に蓄電デバイス１１から発生したガス全量を試験容器１９内に蓄積させ、試験後に、試験容器１９内のガスを試験容器１９から配管６５を通じてバッファータンク６７に連通したガスバッグ７１に移し替える。そして、ガスバッグ７１に溜められた蓄電デバイス１１からの発生ガスを含むガスを不図示の分析器を用いて分析する。
【００６１】
＜比較例の分析装置による分析結果＞
上記構成の分析装置３００を用い、５Ａｈのリチウムイオン電池に関する釘刺し試験を実施した。試験中、リチウムイオン電池の表面温度と試験容器１９の雰囲気温度を熱電対で計測し、データロガーに記録した。また電池電圧もデータロガーに記録した。試験中に発生したガスは、全てガスバッグ７１に捕集し、捕集ガスの分析（ガス発生量と発生ガス成分）を行った。
【００６２】
図７はデータロガーで記録した電圧、釘貫入深さ、電池表面温度、雰囲気温度の時間変化の様子を示すグラフである。なお、グラフ縦軸の釘貫入深さ及び温度の目盛りは、共通の値で示してある。この記録結果によれば、０．１３分程経過した付近でリチウムイオン電池に釘が突き刺し始めたと考えられ、それと同時に電池電圧が降下し始め、電池温度と容器内温度の上昇が観測された。約０．３分経過した付近で電圧はゼロとなった。
【００６３】
ガスバッグ７１に捕集されたガスを分析器で分析した結果、捕集ガスの主成分はＨ２、ＣＯ、ＣＯ２、ＣＨ４、Ｃ２Ｈ４であることが判明した。また、その量はそれぞれＨ２：０．１０Ｌ、ＣＯ：１．３Ｌ、ＣＯ２：４．０Ｌ、ＣＨ４：０．２８Ｌ、Ｃ２Ｈ４：１．１Ｌであること、及び発生したガスの全量が約８Ｌであることが判明した。しかし、各ガス成分及びガス発生量の経時的な変化については不明である。
【００６４】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００６５】
以上の通り、本明細書には次の事項が開示されている。
（１）  蓄電デバイスから発生するガスを捕集して分析する蓄電デバイスの発生ガス分析方法であって、
前記蓄電デバイスを容器内部に収容し、前記容器内部が不活性ガスで満たされる試験容器と、前記試験容器よりも低い内圧に保持される複数のサンプル容器と、前記試験容器と複数の前記サンプル容器とを連通させる複数の連通流路と、複数の前記連通流路の前記試験容器と前記サンプル容器との間にそれぞれ設けられた流路開閉弁と、を備えるガス捕集器を用い、前記流路開閉弁を閉じて前記蓄電デバイスの安全性評価試験を開始した後、複数の前記連通流路に設けられた前記流路開閉弁を、前記連通流路毎に順次異なるタイミングで開閉動作させ、開閉動作させた前記流路開閉弁に連通する前記サンプル容器に、当該流路開閉弁が開閉動作したタイミングで前記試験容器の内部ガスを吸引して捕集する工程と、
複数の前記サンプル容器にそれぞれ異なるタイミングで捕集された前記内部ガスを、前記サンプル容器毎に分析する工程と、
を有する蓄電デバイスの発生ガス分析方法。
この蓄電デバイスの発生ガス分析方法によれば、試験容器の内部ガスを、経時的に異なるタイミングで吸引してサンプル容器内に捕集し、これらのサンプル容器に捕集されたガスを、分析器によりサンプル容器毎に分析する。これにより、発生ガスの経時変化の分析が可能となる。
【００６６】
（２）  前記内部ガスを分析する工程は、ＧＣ−ＭＳ法、ＧＣ法、ＩＣ法、ＩＣＰ−ＡＥＳ法、ＩＣＰ−ＭＳ法、吸光光度法、ＩＲ法の少なくとも一つに基づいて分析する工程である（１）の蓄電デバイスの発生ガス分析方法。
この蓄電デバイスの発生ガス分析方法によれば、各種の分析方法が選択的に実施されることで、発生ガスの所望の分析が可能となる。
【００６７】
（３）  蓄電デバイスから発生するガスを捕集して分析する蓄電デバイスの発生ガス分析方法であって、
前記蓄電デバイスを容器内部に収容する試験容器と、前記蓄電デバイスの筐体内に不活性ガスを供給する不活性ガス供給部と、前記蓄電デバイスの筐体内の内部ガスを排出するガス排出流路と、を備えるガス捕集器を用い、前記蓄電デバイスの安全性評価試験の開始後、前記不活性ガス供給部から不活性ガスを特定のタイミングで前記蓄電デバイスの筐体内に供給する工程と、
前記不活性ガスの供給タイミングで、前記蓄電デバイスの筐体内から排出される前記内部ガスを、前記特定のタイミング毎に分析する工程と、
を有する蓄電デバイスの発生ガス分析方法。
この蓄電デバイスの発生ガス分析方法によれば、蓄電デバイスの筐体内の内部ガスを、経時的に異なるタイミングで押し出して分析器により分析する。これにより、発生ガスの経時変化の分析が可能となる。
【００６８】
（４）  前記内部ガスを分析する工程は、ＧＣ−ＭＳ法又はＩＲ法に基づいて分析する工程である（３）の蓄電デバイスの発生ガス分析方法。
この蓄電デバイスの発生ガス分析方法によれば、各種の分析方法が選択的に実施されることで、発生ガスの所望の分析が可能となる。
【００６９】
（５）  前記安全性評価試験は、釘刺し試験、過充電試験、加熱試験、外部短絡試験、過放電試験、圧壊試験、充放電試験、保存試験の少なくとも一つの試験である（１）乃至（４）のいずれか一つの蓄電デバイスの発生ガス分析方法。
この蓄電デバイスの発生ガス分析方法によれば、各種の安全性評価試験において発生するガスの経時変化の分析が可能となる。
【００７０】
（６）  前記内部ガスを分析する工程は、発生ガス量、ガス成分の少なくとも一方を求める工程である（１）乃至（５）のいずれか一つの蓄電デバイスの発生ガス分析方法。
この蓄電デバイスの発生ガス分析方法によれば、発生ガスのガス量の経時変化、ガス成分の経時変化が求められる。
【００７１】
（７）  蓄電デバイスから発生するガスを捕集して分析する蓄電デバイスの発生ガス分析装置であって、
前記蓄電デバイスを容器内部に収容し、前記容器内部が不活性ガスで満たされる試験容器と、
前記試験容器よりも低い内圧に保持される複数のサンプル容器と、
前記試験容器と複数の前記サンプル容器とを連通させる複数の連通流路と、
複数の前記連通流路の前記試験容器と前記サンプル容器との間にそれぞれ設けられた流路開閉弁と、
複数の前記連通流路の前記流路開閉弁を、前記連通流路毎に順次異なるタイミングで開閉動作させ、開閉動作された前記流路開閉弁に連通する前記サンプル容器に、当該流路開閉弁が開閉動作されたタイミングで前記試験容器の内部ガスを吸引して捕集させるガス捕集駆動部と、
複数の前記サンプル容器にそれぞれ異なるタイミングで捕集された前記内部ガスを、前記サンプル容器毎に分析する分析器と、
を具備する蓄電デバイスの発生ガス分析装置。
【００７２】
（８）  蓄電デバイスから発生するガスを捕集して分析する蓄電デバイスの発生ガス分析装置であって、
前記蓄電デバイスを容器内部に収容する試験容器と、
前記蓄電デバイスの筐体内に不活性ガスを供給する不活性ガス供給部と、
前記蓄電デバイスの筐体内の内部ガスが排出されるガス排出流路と、
前記不活性ガス供給部から不活性ガスを特定のタイミングで前記蓄電デバイスの筐体内に供給させ、前記内部ガスを前記ガス排出流路に排出させるガス排出駆動部と、
前記ガス排出流路に前記特定のタイミングで排出された前記内部ガスを、前記特定のタイミング毎に分析する分析器と、
を備える蓄電デバイスの発生ガス分析装置。
【符号の説明】
【００７３】
１１  蓄電デバイス
１３  ガス捕集器
１５  分析器
１７  容器内部
１９  試験容器
２１  ガス捕集ライン
２３  連通流路
２７  上流側流路開閉弁（流路開閉弁）
２９  サンプル容器
３１  下流側流路開閉弁
３３  釘差し部
３３ａ  釘部
３５，３７  温度センサ
４１Ａ，４１Ｂ  電極端子
４３  電流電圧検出部
４５  データロガー
５１  連通流路（ガス排出流路）
５３  不活性ガス供給部（ガス排出駆動部）
５５  ガスバッグ
５７  分岐流路
１００，２００  分析装置（蓄電デバイスの発生ガス分析装置）
【図１】
0006730056.tif 000004
【図２】
0006730056.tif 000005
【図３】
0006730056.tif 000006
【図４】
0006730056.tif 000007
【図５】
0006730056.tif 000008
【図６】
0006730056.tif 000009
【図７】
0006730056.tif 000010